(57)【要約】  データベース５２が、画像再構成パラメータ値を各々有する複数の画像受領者再構成プロファイルを格納する。画像再構成モジュール３０が、医用撮像データを再構成して再構成画像を生成するよう構成される。画像再構成設定モジュール５０が、医用撮像データセットに関する目的の画像受領者用の画像受領者再構成プロファイルをデータベース５２から取出し、且つ画像再構成モジュール３０を呼出し、取出された画像受領者再構成プロファイルの画像再構成パラメータ値を用いて医用撮像データセットを再構成して目的の画像受領者用の再構成画像を生成させるよう構成される。フィードバック収集モジュール５４が、目的の画像受領者用の再構成画像に関するフィードバックを目的の画像受領者から収集するよう構成される。プロファイル更新モジュール５６が、収集されたフィードバックに基づいて目的の画像受領者の画像受領者再構成プロファイルを更新するよう構成される。
2015510157.tif 000002
【特許請求の範囲】
【請求項１】
複数の画像受領者再構成プロファイルを格納するデータベースであり、各々の画像受領者再構成プロファイルは複数の画像再構成パラメータ値を有する、データベースと、
医用撮像データから、再構成画像を、
目的の画像受領者に関する画像受領者再構成プロファイルを前記データベースから取り出すこと、及び
取り出された画像受領者再構成プロファイルの画像再構成パラメータ値を用いて前記医用撮像データを再構成して、前記再構成画像を生成すること、
を含む処理によって生成するように構成された電子プロセッサと、
を有する装置。
【請求項２】
前記再構成画像を前記目的の画像受領者に送達するように構成された電子プロセッサを有する再構成画像送達モジュール、
を更に有する請求項１に記載の装置。
【請求項３】
前記電子プロセッサは更に、
前記目的の画像受領者から、前記再構成画像についてのフィードバックを収集すること、及び
前記収集されたフィードバックに基づいて、前記目的の画像受領者に関する前記画像受領者再構成プロファイルを更新すること、
を含むプロファイル更新処理を実行するように構成される、請求項１又は２に記載の装置。
【請求項４】
前記収集されたフィードバックは、如何なる特定の再構成パラメータとも関連付けられておらず、前記更新することは、前記収集されたフィードバックに基づいて、或る画像再構成パラメータの更新値を決定することを含む、請求項３に記載の装置。
【請求項５】
前記収集されたフィードバックは、画像全体の格付けを有し、前記更新することは、前記画像全体の格付けに基づいて、或る画像再構成パラメータの更新値を決定することを含む、請求項３又は４に記載の装置。
【請求項６】
前記電子プロセッサは、選択されたパラメータの値を変化させた前記取り出された画像受領者再構成プロファイルの画像再構成パラメータ値を用いて、前記医用撮像データを再構成してテスト再構成画像を生成すること、を含む更なる処理を実行するように構成され、前記収集されたフィードバックは、前記再構成画像と前記テスト再構成画像との間での比較を含み、前記更新することは、前記比較に基づいて、前記選択されたパラメータの値を更新することを含む、請求項３乃至５の何れか一項に記載の装置。
【請求項７】
前記フィードバックを収集することは、前記目的の画像受領者から受信された再度の再構成の要求に応答して、前記医用撮像データの再構成をやり直すことを含み、前記再構成をやり直すことは、前記取り出された画像受領者再構成プロファイル内のパラメータの値とは異なる調整されたパラメータ値を使用し、
前記画像受領者再構成プロファイルを更新することは、前記調整されたパラメータ値を含むように該プロファイルを更新することを含む、
請求項３乃至６の何れか一項に記載の装置。
【請求項８】
前記フィードバックを収集することは、前記目的の画像受領者によって前記再構成画像上で実行された画像フィルタリング処理を検出することを含む、請求項３乃至７の何れか一項に記載の装置。
【請求項９】
各々の画像受領者再構成プロファイルが複数の画像再構成パラメータ値を有する複数の画像受領者再構成プロファイルを格納するデータベースから、目的の画像受領者に関する画像受領者再構成プロファイルを取り出すことと、
取り出された画像受領者再構成プロファイルの画像再構成パラメータ値を用いて医用撮像データを再構成して、前記再構成画像を生成することと
を有し、
少なくとも前記取り出すこと及び前記再構成を行うことは、電子プロセッサによって実行される、
方法。
【請求項１０】
当該方法は更に、
前記目的の画像受領者から、前記再構成画像についてのフィードバックを収集することと、
前記収集されたフィードバックに基づいて、前記目的の画像受領者に関する前記画像受領者再構成プロファイルを更新することと
を有し、
少なくとも前記更新することは前記電子プロセッサによって実行される、
請求項９に記載の方法。
【請求項１１】
当該方法は更に、
前記取り出された画像受領者再構成プロファイルの選択された再構成パラメータの値を、少なくとも１つのテスト画像を生成するように調整して、前記再構成することを繰り返すこと
を有し、
前記フィードバックを収集することは、前記再構成画像と前記少なくとも１つのテスト画像とを含む一組の画像に対する、前記目的の画像受領者による、最良の画像品質を有することの投票又はランク付けを収集することを含み、
前記調整を行うことは、前記投票又はランク付けに基づいて、前記選択された再構成パラメータを調整することを含む、
請求項１０に記載の方法。
【請求項１２】
前記フィードバックを収集することは、前記目的の画像受領者から受信された再度の再構成の要求に応答して、前記医用撮像データの再構成をやり直すことを含み、前記再構成をやり直すことは、前記取り出された画像受領者再構成プロファイル内のパラメータの値とは異なる調整されたパラメータ値を使用し、
前記画像受領者再構成プロファイルを更新することは、前記調整されたパラメータ値を含むように該プロファイルを更新することを含む、
請求項１０又は１１に記載の方法。
【請求項１３】
前記収集することは、前記目的の画像受領者によって前記再構成画像上で実行された画像フィルタリング処理を検出することを含み、
前記更新することは、前記取り出された画像受領者再構成プロファイルの、選択された画像再構成パラメータの値を更新することを有し、該選択された画像再構成パラメータは、前記検出された画像フィルタリング処理に基づいて選択される、
請求項１０乃至１２の何れか一項に記載の方法。
【請求項１４】
請求項９乃至１３の何れか一項に記載の方法を実行するように電子プロセッサによって実行可能な命令を格納した非一時的な記憶媒体。
【請求項１５】
複数の画像受領者再構成プロファイルを格納するデータベースであり、各々の画像受領者再構成プロファイルは複数の画像再構成パラメータ値を有する、データベースと、
医用撮像データを再構成して再構成画像を生成するように構成された画像再構成モジュールと、
医用撮像データセットに関する目的の画像受領者に関する画像受領者再構成プロファイルを前記データベースから取り出し、且つ、取り出された画像受領者再構成プロファイルの画像再構成パラメータ値を用いて前記医用撮像データセットを再構成して、前記目的の画像受領者のための再構成画像を生成するよう、前記画像再構成モジュールを呼び出す、ように構成された画像再構成設定モジュールと、
を有し、
前記画像再構成モジュール及び前記画像再構成設定モジュールは、電子プロセッサによって実装される、
装置。
【請求項１６】
当該装置は更に、
前記目的の画像受領者から、前記目的の画像受領者のための前記再構成画像に関するフィードバックを収集するように構成されたフィードバック収集モジュールと、
前記収集されたフィードバックに基づいて、前記目的の画像受領者の前記画像受領者再構成プロファイルを更新するように構成されたプロファイル更新モジュールと
を有し、
前記フィードバック収集モジュール及び前記プロファイル更新モジュールは、前記電子プロセッサによって実装される、
請求項１５に記載の装置。
【請求項１７】
前記プロファイル更新モジュールは、前記目的の画像受領者の前記画像受領者再構成プロファイルの少なくとも１つのパラメータに対する更新値を学習するように構成されたエキスパートシステムを有する、請求項１６に記載の装置。
【請求項１８】
前記フィードバック収集モジュールは、
少なくとも１つのテスト再構成画像を生成するよう、前記画像再構成設定モジュールに要求するように構成されたフィードバックテストセット要求サブモジュール
を有し、
前記少なくとも１つのテスト再構成画像は、前記画像再構成モジュールを呼び出して、選択されたパラメータが前記取り出された画像受領者再構成プロファイル内のその値から外れるように調整された、前記取り出された画像受領者再構成プロファイルの画像再構成パラメータ値を用いて、前記医用撮像データセットを再構成させることによって生成され、
前記フィードバック収集モジュールは、前記目的の画像受領者から、前記テスト再構成画像と前記目的の画像受領者のための前記再構成画像とを比較した、比較上の画像品質評価を収集するように構成され、
前記プロファイル更新モジュールは、前記比較上の画像品質評価に基づいて、前記目的の画像受領者の前記画像受領者再構成プロファイルを更新するように構成される、
請求項１６又は１７に記載の装置。
【請求項１９】
当該装置は更に、
前記画像再構成モジュールと前記画像再構成設定モジュールとを実装する前記電子プロセッサと同じ又は異なる電子プロセッサによって実装された受領者表示・レビューモジュールであり、前記再構成画像を表示し、且つ前記再構成画像上で画像フィルタリングを実行するように構成された受領者表示・レビューモジュール
を有し、
前記フィードバック収集モジュールは、前記受領者表示・レビューモジュールから、前記受領者表示・レビューモジュールによって実行された前記画像フィルタリングに関する情報を有するフィードバックを収集するように構成される、
請求項１６乃至１８の何れか一項に記載の装置。
【請求項２０】
各々の画像受領者再構成プロファイルは、反復再構成法の反復回数、ピクセル若しくはボクセルのサイズ、緩和因子、及び少なくとも１つの画像フィルタパラメータ、からなる群から選択された画像再構成パラメータ値を有する、請求項１５乃至１９の何れか一項に記載の装置。
【請求項２１】
電子プロセッサを用いて画像再構成処理を実行するステップであり、各画像再構成処理が、撮像データを、目的の画像受領者のための再構成画像へと、前記目的の画像受領者用の再構成パラメータを用いて再構成する、ステップと、
前記目的の画像受領者のために再構成画像を表示あるいは印刷するステップと、
を有する方法。
【請求項２２】
当該方法は更に、
目的の画像受領者それぞれ用の再構成パラメータを、前記目的の画像受領者それぞれから受信された、再構成画像についてのフィードバックに基づいて更新するステップ
を有し、
前記更新するステップは前記電子プロセッサによって実行される、
請求項２１に記載の方法。
【請求項２３】
目的の画像受領者用の再構成パラメータの更新は、該目的の画像受領者のための２つ以上の再構成画像間での画像品質比較を有する該目的の画像受領者からのフィードバックに基づく、請求項２２に記載の方法。
【請求項２４】
前記更新するステップは、マシンラーニングを実行して、再構成パラメータセットを、該再構成パラメータセットのうちの結び付けられたパラメータ間の相関を組み入れたマルチパラメータモデルを用いて調整することを有する、請求項２２又は２３に記載の方法。
【請求項２５】
当該方法は更に、
目的の画像受領者用の再構成パラメータを有する画像受領者再構成プロファイルを、可搬式の不揮発性記憶装置から、複数の画像受領者再構成プロファイルを格納するデータベースに転送するステップ
を有し、
前記実行するステップは、該目的の画像受領者用の再構成パラメータを前記データベースから取り出すことを含む、
請求項２１乃至２４の何れか一項に記載の方法。
【発明の詳細な説明】
【技術分野】
【０００１】
以下は、医療技術、医用撮像技術、撮像に基づく医療診断及び治療技術、医用画像再構成技術、及びこれらの関連技術に関する。
【背景技術】
【０００２】
医用撮像は、臨床上の評価、診断及び監視（モニタリング）における重要なツールであり、例えば腫瘍評価、放射線治療の計画作成（プランニング）及びモニタリング、並びに心臓評価など、多様な用途で使用されている。医用撮像システムは、特殊化された装置である。大抵の医療施設（例えば、病院又はクリニックなど）において、医用撮像は以下のように行われている。先ず、医者、放射線医又はその他の医療専門家（以下、“医師”）が患者を検査し、医用撮像セッションを発注する。患者は、その病院内にあるか外部の契約若しくは提携施設であるかとし得る医療撮像施設へと移される。医療撮像施設にて、技師が、医師の注文に従って撮像データ収集を実行し、人間が見ることができる画像を生成するよう撮像データを再構成する。技師は、医用撮像システム及び付随する画像再構成の能力について知識豊富であるが、必ずしも医師ではなく、通常は、再構成された医用画像に基づいて医学的な結論を布告するための訓練を受けていなかったり権限がなかったりする。むしろ、再構成された医用画像は、物理的なプリント出力として、電子メールを介して送信されるデータファイルとして、あるいは医師によって検索される画像保管通信システム（ＰＡＣＳ）に保管されたデータファイルとして、等々の何れかで医師に送り戻される。そして、医師が、画像を眺め、画像から医学的な結論を引き出し、必要に応じて、それらの結論に基づいて患者処置を開始あるいは更新する。
【０００３】
医療撮像施設は、所与の撮像モダリティの撮像システムを２つ以上収容していることがある。これらの撮像システムは、同一の製造者からの異なるモデル、及び／又は複数の異なる製造者からのモデルを含み得る。また、所与の撮像システムは、有限の稼働寿命を有しており、該寿命の後に、或る撮像システム（典型的には、より新しい）によって置き換えられる。これら様々な撮像システムは、異なるデフォルトパラメータ（例えば、異なるデフォルトフィルタ及びフィルタ設定）を用いて異なる特性（例えば、解像度又はダイナミックレンジなど）を有する画像を作り出すことがある。医療撮像施設は、様々な訓練レベル、経歴及び撮像経験などを有する二人、三人、四人又はそれより多くの（場合により、遥かに多くの）技師を配置していることがある。これら様々な技師は、所与の撮像再構成のために使用するパラメータの“最良”セットに関して異なる意見を有することがあり、故に、異なる技師によって、異なるタイプの“チューニング（調整）”を用いた画像が作り出され得る。
【０００４】
これらは全て、医師にとってトランスペアレントである。医師側から見ると、医用撮像は以下のように行われる：（１）医用画像に関する注文を詳述し、（２）注文した医用画像を受領する。医師が受領医用画像の品質に不満がある場合、医師は、異なるパラメータを用いて画像再構成を繰り返すことを要求し得る。これは、コンピュータ処理の観点、及び医師の要求を再構成パラメータの調整へと落とし込むための技師の時間の観点、の双方において貴重な時間を取るものである。また、医師を満足させるために再構成のどの観点を変更すべきかがはっきりしないこともある。
【０００５】
さらに、医師によって好まれる変更された再構成設定は一般には保管されていない。一部のケースでは、技師が医師の好む再構成設定を覚えておいて、それを後の調査に使用し得るが、これは常に云えることではない。また、大型施設では、いつも同じ技師がその医師のために画像再構成を行うわけではないことがある。さらにまた、レビューする者が複数いる場合（例えば、処方医師と専門医）、各々が画像品質について異なる見方を有することがある。
【０００６】
これらの留意事項はまた、撮像システムの製造者に悪影響を与える。製造者は典型的に、客観的なパラメータを用いて画像品質を向上させるように努力している。しかしながら、客観的に良い画像が、医師によって好まれる画像ではないことがある。医師は、診断を行う者であり、故に、画像に満足する必要はある者である。撮像システムを使用する全ての医師を満足させるような“万能”な再構成を製造者が提供することは、困難あるいは不可能である。現在、これは、個々の医師からのフィードバックに基づいて再構成を個別に調整することによって対応されている。結果は、互いに排他的で概して主観的な、画像再構成について異なる嗜好を有する複数の異なる医師からの指示である。
【発明の概要】
【発明が解決しようとする課題】
【０００７】
以下にて、上述の限界及びその他を解消する改善された装置及び方法を検討する。
【課題を解決するための手段】
【０００８】
一態様によれば、装置は、複数の画像受領者再構成プロファイルを格納するデータベースであり、各々の画像受領者再構成プロファイルは複数の画像再構成パラメータ値を有する、データベースと、医用撮像データから、再構成画像を、目的の画像受領者に関する画像受領者再構成プロファイルを前記データベースから取り出すこと、及び取り出された画像受領者再構成プロファイルの画像再構成パラメータ値を用いて前記医用撮像データを再構成して、前記再構成画像を生成すること、を含む処理によって生成するように構成された電子プロセッサとを有する。一部の実施形態において、前記電子プロセッサは更に、前記目的の画像受領者から、前記再構成画像についてのフィードバックを収集すること、及び前記収集されたフィードバックに基づいて、前記目的の画像受領者に関する前記画像受領者再構成プロファイルを更新すること、を含むプロファイル更新処理を実行するように構成される。
【０００９】
他の一態様によれば、方法は、各々の画像受領者再構成プロファイルが複数の画像再構成パラメータ値を有する複数の画像受領者再構成プロファイルを格納するデータベースから、目的の画像受領者に関する画像受領者再構成プロファイルを取り出すことと、取り出された画像受領者再構成プロファイルの画像再構成パラメータ値を用いて医用撮像データを再構成して、再構成画像を生成することとを有する。一部の実施形態において、少なくとも前記取り出すこと及び前記再構成を行うことは、電子プロセッサによって実行される。一部の実施形態において、当該方法は更に、前記目的の画像受領者から、前記再構成画像についてのフィードバックを収集することと、前記収集されたフィードバックに基づいて、前記目的の画像受領者に関する前記画像受領者再構成プロファイルを更新することとを有し、少なくとも前記更新することは前記電子プロセッサによって実行される。一部の実施形態において、非一時的な記憶媒体が、この段落に記載された方法を実行するように電子プロセッサによって実行可能な命令を格納する。
【００１０】
他の一態様において、装置は、複数の画像受領者再構成プロファイルを格納するデータベースであり、各々の画像受領者再構成プロファイルは複数の画像再構成パラメータ値を有する、データベースと、医用撮像データを再構成して再構成画像を生成するように構成された画像再構成モジュールと、医用撮像データセットに関する目的の画像受領者に関する画像受領者再構成プロファイルを前記データベースから取り出し、且つ、取り出された画像受領者再構成プロファイルの画像再構成パラメータ値を用いて前記医用撮像データセットを再構成して、前記目的の画像受領者のための再構成画像を生成するよう、前記画像再構成モジュールを呼び出す、ように構成された画像再構成設定モジュールとを有する。画像再構成モジュール及び画像再構成設定モジュールは、電子プロセッサによって好適に実装される。一部の実施形態において、当該装置は更に、前記目的の画像受領者から、前記目的の画像受領者のための前記再構成画像に関するフィードバックを収集するように構成されたフィードバック収集モジュールと、前記収集されたフィードバックに基づいて、前記目的の画像受領者の前記画像受領者再構成プロファイルを更新するように構成されたプロファイル更新モジュールとを有する。フィードバック収集モジュール及びプロファイル更新モジュールもまた、電子プロセッサによって実装される。
【００１１】
他の一態様によれば、方法は、電子プロセッサを用いて画像再構成処理を実行するステップであり、各画像再構成処理が、撮像データを、目的の画像受領者のための再構成画像へと、前記目的の画像受領者用の再構成パラメータを用いて再構成する、ステップと、前記目的の画像受領者のために再構成画像を表示あるいは印刷するステップとを有する。当該方法は更に、目的の画像受領者それぞれ用の再構成パラメータを、前記目的の画像受領者それぞれから受信された、再構成画像についてのフィードバックに基づいて更新するステップを含み得る。一部の実施形態において、目的の画像受領者用の再構成パラメータの更新は、該目的の画像受領者のための２つ以上の再構成画像間での画像品質比較を有する該目的の画像受領者からのフィードバックに基づく。
【発明の効果】
【００１２】
１つの利点は、画像を意図する医師又は放射線医の嗜好に合わせて調整された調整画像であり、該医師又は放射線医が満足しそうな調整画像が提供されることにある。
【００１３】
他の１つの利点は、受領者個々の嗜好に対して調整された画像を医師又は放射線医に提供することにより、画像の鮮明さ又はノイズレベルなどの付随問題が緩和されるので、臨床的価値が向上された画像が提供されることにある。
【００１４】
他の１つの利点は、医師又は放射線医が医用撮像及び画像再構成処理の徹底的な理解を深めることを必要とせずに、以上の利点が提供されることにある。
【００１５】
以下の詳細な説明を読むことで、数多くの更なる利点及び利益が当業者に明らかになる。
【図面の簡単な説明】
【００１６】
本発明は、様々な構成要素及びその配置、並びに様々な処理操作及びその編成の形態を取り得る。図面は、単に好適実施形態を例示するためのものであり、本発明を限定するものとして解釈されるべきではない。
【図１】医用撮像施設と、該医用撮像施設によって生成された画像を見るための画像表示ワークステーションとを図式的に示す図である。
【図２】図１の医療撮像施設によって好適に行われる画像再構成プロセスを図式的に示す図である。
【図３】図１の医療撮像施設及び画像表示ワークステーションによって好適に行われる画像レビュー及び医師再構成プロファイル更新プロセスを図式的に示す図である。
【発明を実施するための形態】
【００１７】
医師が自身の好む再構成パラメータ値を指定することができる撮像システム及び方法を開示する。これは、“万能”な再構成を避けて、特定の医師の嗜好に合わせて再構成を調整することを可能にする。これを達成するため、開示の手法は、異なる医師に対して異なる再構成パラメータ値（すなわち、異なる再構成“プロファイル”）を使用する。また、ここでは、典型的な医師は具体的な再構成アルゴリズム及びその特有のパラメータに精通していないことがあると認識されるので、開示の手法は、医師が、好みの再構成パラメータ値を、１つ以上の再構成画像に対する画像品質評価を提供する媒介手段を介して間接的に指定することを可能にする。開示の手法は、この間接的な情報を用いて、医師のパラメータ値の嗜好を決定する。一部の実施形態において、１つのパラメータ値が変化された複数の再構成画像が医師に提供され、医師は単に、例えば画像“Ａ”は画像“Ｂ”より良いなどと、比較上にて、それらの画像を格付けする。そして、最良品質であるとして医師が格付けした画像を生成する際に使用された値に従って、医師の再構成プロファイル内で変化パラメータの値が調整される。画像を受け取る特定の医師の好みに従ってその後の画像再構成が実行されるよう、医師ごとに一組の好みの再構成設定（すなわち、“医師プロファイル”）が保管される。異なる設定を用いて画像再構成を行うことを医師が要求する場合、この情報を用いてその医師のプロファイルを更新することで、そのプロファイルがその医師の現在の嗜好を反映するようにすることができる。
【００１８】
図１を参照して、開示に係る幾つかの撮像システム及び方法を説明する。図１は、２つの撮像装置１０、１２、収集撮像データセットストレージ１４、及び電子プロセッサ１６によって表される撮像施設を図式的に示している。電子プロセッサ１６は、ここに開示される手法に従って撮像データを再構成して再構成画像を生成するように構成される。例示の撮像装置１０、１２は何れも、例えば単一光子放出コンピュータ断層撮影（ＳＰＥＣＴ）データなどの、放射線撮像データを収集するガンマカメラである。ガンマカメラ１０は、操作式検出器ヘッドを回転可能に支持する回転ガントリーを採用しており、その一方で、ガンマカメラ１２は、ガントリーを用いずに関節式ロボットアーム上に搭載された検出器ヘッドを採用している。ガンマカメラ１０は、例えば、ＢｒｉｇｈｔＶｉｅｗ（登録商標）ＳＰＥＣＴシステムとして具現化されることができ、ガンマカメラ１２は、例えば、ＳＫＹＬｉｇｈｔ（登録商標）核カメラとして具現化されることができる（どちらもオランダ国アインドーフェンのコーニンクレッカフィリップスＮＶ社から入手可能）。より一般的には、撮像装置１０、１２は、例えば１つ以上の磁気共鳴（ＭＲ）スキャナ、１つ以上の透過型コンピュータ断層撮影（ＣＴ）スキャナ、（図示のように）１つ以上のＳＰＥＣＴスキャナ、又は１つ以上の陽電子放出型断層撮影（ＰＥＴ）スキャナなどの、１つ以上の撮像様式を収集する撮像装置として具現化されることができる。一般に、撮像装置１０、１２は、全てが同一の製造者からのものであってもよいし、異なる製造者からの撮像システムを含んでいてもよい。また、撮像施設の撮像装置の数は、わずか１台の撮像装置とすることができ、上限はない。２つの例示的な撮像装置１０、１２が一緒に示されているが、複数の撮像装置が複数の異なる部屋又はさらには複数の異なる建物の中に配置されることも企図される。
【００１９】
収集撮像データストレージ１４は、例えば磁気式、光学式又は電子式など、実質的に如何なる種類のデータストレージとしても具現化されることができ、単一のデータ記憶装置又は複数のデータ記憶装置を有し得る（例えば、一部の実施形態において、撮像システムごとに別個の撮像データセットストレージが存在してもよい）。
【００２０】
電子プロセッサ１６は、キーボード２２又はその他１つ以上の入力装置（例えば、マウス若しくはその他のポインティング装置）とディスプレイ２４又はその他１つ以上の出力装置（例えば、ハードコピーを生成するプリンタ）とを有する例示のコンピュータ２０によって好適に具現化されている。一般に、電子プロセッサ１６は、デスクトップ型コンピュータ、ノートブック型コンピュータ、ネットワークベースのサーバコンピュータ、又はグラフィック処理ユニット（ＧＰＵ）などとして、様々に具現化されることができる。一部の実施形態において、ストレージ１４は、例えば電子プロセッサのハードディスクドライブとして、電子プロセッサ１６と統合される。
【００２１】
電子プロセッサ１６は画像再構成システムを実現する。この目的のため、電子プロセッサ１６は、例えば反復式順／逆投影再構成又はフーリエ変換再構成などの好適な画像再構成技術を使用する画像再構成モジュール３０を実装している。再構成モジュール３０は、データストレージ１４からの収集医用撮像データセットを再構成して再構成画像を生成する。再構成画像は、再構成画像送達モジュール３２によって、目的の画像受領者（例えば、医師若しくは放射線医、又はその他）へと配信される。送達モジュール３２は、例えば、再構成画像を保管するとともに少なくとも医療データネットワーク上で利用可能な、また場合により、好適な安全予防手段（例えば、権限ある医療関係者によってのみアクセス可能な安全なログイン）を併用してインターネット上でも利用可能な、画像保管通信システム（ＰＡＣＳ）を有し得る。送達モジュール３２は、例えば、受領者電子メールアドレスにある意図した画像受領者に再構成画像を電子メール送信する自動電子メール（ｅｍａｉｌ）システムなど、その他の形態を取ってもよい。代わりに、送達モジュール３２の機能が手動で実行されることも意図される。これは例えば、再構成画像を物理的にプリント出力し、プリントされた再構成画像を目的の画像受領者に、通常郵便、クーリエ便、又は医療施設の内部輸送システムなどを介して手動送達することによって行われる。
【００２２】
目的の画像受領者は、物理的なプリント出力も意図されるが、例えば電子的な画像として、再構成画像を受領する。電子的な画像の場合、目的の画像受領者（例えば、医師又は放射線医）は典型的に、キーボード４２又はその他１つ以上の入力装置（例えば、マウス若しくはその他のポインティング装置）とディスプレイ４４又はその他１つ以上の出力装置（例えば、ハードコピーを生成するプリンタ）とを有するコンピュータ又はワークステーション４０によって好適に実装される受領者画像表示・レビューモジュール３６を介して画像を眺める。一般に、表示／レビューモジュール３６は、デスクトップ型コンピュータ、ノートブック型コンピュータ、ネットワークベースのサーバコンピュータと通信可能な“ダム”端末、又はグラフィック処理ユニット（ＧＰＵ）などとして、様々に具現化されることができる。典型的に、ディスプレイ４４は、再構成画像の高品質表示を提供することができる高解像度のカラーあるいはモノクロのグラフィックディスプレイであり、場合により、例えば拡大若しくはズーム、様々な疑似カラー描写、画像フィルタリング、スライス若しくは領域の抽出（３次元すなわちボリューム画像、又はマルチスライス画像の場合）、又はシネマチック（ＣＩＮＥ）シーケンス表示（時間次元を有する画像群の場合）などの機能を含む。目的の画像受領者は典型的に、表示された画像を用いて医学的な結論を引き出したりその他の医学的処理を行ったりする者である医師又は放射線医である。受領者画像表示・レビューモジュール３６は、図１においては、再構成システムを実装するコンピュータ２０とは異なるコンピュータ又はワークステーション４０によって実装されるものとして示されているが、これら２つの電子プロセッサ２０、４０が単一のコンピュータ又はその他の単一の電子プロセッサとして具現化されることも企図される。
【００２３】
これに関し、一部の実施形態において、表示／レビューモジュール３６は治療プランニング能力を含む。例えば、目的の画像受領者が癌専門医であり、再構成画像が放射線治療プランニングで使用されるプランニング画像である場合、表示／レビューモジュール３６は好ましくは画像セグメンテーション能力を含み、それを介して、癌専門医は、照射されるべき悪性腫瘍と放射線被爆が制限されるべき隣接クリティカル器官とを輪郭描写することができる。場合により、画像セグメンテーション能力を備えた表示／レビューモジュール３６は更に、放射線治療プランニング能力を含むことができ、例えば、強度変調放射線治療（ＩＭＲＴ）プランニングが実行されて、放射線治療を行うためのマルチリーフコリメータ（ＭＬＣ）設定又はその他のパラメータ値が計算される。臨床上の他の一例として、目的の画像受領者は心臓医であり、再構成画像は心臓及び周囲の脈管構造のものであってもよい。この例において、表示／レビューモジュール３６は、例えば画像セグメンテーション（この場合、例えば心臓などの機構と例えば心房及び心室などのその構成要素とを輪郭描写するために使用される）などの能力と、例えば心臓容積の計算などの分析ツールとを含み得る。
【００２４】
先述のように、ここでは、異なる目的の画像受領者（例えば、異なる医師又は放射線医）は、使用すべき“最良”の画像再構成パラメータ値に関して異なる嗜好を有し得ることが認識される。例えば、一人の画像受領者は、強いフィルタリングによってもたらされる滑らかな画像を、強いフィルタリングによる細かいディテール若しくは鮮明さの幾らかの喪失、又はより低い解像度という犠牲を伴ってでも好むことがある、他方で、別の画像受領者は、その逆、すなわち、細かいディテール及び鮮明さ並びに最大の画像解像度の保持を、より高いノイズ若しくは潜在的なアーチファクト又はその他などの犠牲を伴ってでも好むことがある。更なる別の画像受領者は、より古い撮像システムによって生成された画像を読み取ることに自身のキャリアの殆どを費やしてきた者であり、得られる再構成画像が、より新しい撮像システムを用いて達成可能なもの（例えば、より高い画像解像度、より高いＳＮＲ、又はその他が可能であり得る）より客観的に良くない場合であっても、その古いシステムを再現するパラメータ値を用いて再構成された画像を好むことがある。ここでは、医学的な見地から、目的の画像受領者に該受領者によって好まれる特性を有する再構成画像を提供することが、たとえ、その再構成画像が電子プロセッサ１６を操作して画像再構成を実行する技師によって好ましくないものであったとしても、有利であると認識される。
【００２５】
この目的のため、電子プロセッサ１６によって実装される画像再構成設定モジュール５０が、再構成設定処理を実行する。設定モジュール５０は、再構成すべき撮像データセットと、使用すべき再構成アルゴリズム（再構成モジュール３０が複数の異なる再構成アルゴリズムを使用することができる場合）とを特定する。これらの特定処理は、自動化されてもよいし、電子プロセッサ１６を操作して画像再構成を実行する技師によって提供される特定入力を利用してもよい。さらに、設定モジュール５０は、その撮像施設によってサービス提供される様々な画像受領者に関する画像受領者再構成プロファイルを格納するデータベース５２にアクセスする。各々の画像受領者再構成プロファイルは、対応する画像受領者によって好まれる画像再構成パラメータ値を含んでいる。データベース５２にその値が格納されるパラメータは（以下に限られないが）、反復回数（例えば反復式順／逆投影再構成などの反復再構成アルゴリズムの場合）、ピクセル若しくはボクセルのサイズ、緩和因子（リラクゼーションファクタ）、画像フィルタパラメータ（例えば、フィルタ順序、遮断周波数、等々）、動き補償に関するパラメータ、又は画像トランケーションなどを含み得る。各プロファイルは、それぞれの画像受領者用であり、一般に、他の画像受領者のそれとは異なるパラメータ値を含んでいる。目的の画像受領者に関する画像受領者再構成プロファイルをデータベース５２から取り出し、取り出した画像受領者再構成プロファイルの画像再構成パラメータ値を用いて医用撮像データを再構成して再構成画像を生成することにより、その再構成画像は目的の画像受領者の嗜好に従っているということになる。
【００２６】
画像受領者は典型的に、自身が好む画像再構成パラメータ値を直接的に指定するのに十分なほどに画像再構成アルゴリズムについて知識豊富ではないことがある医師又は放射線医である。従って、電子プロセッサ１６によって実装されるフィードバック収集モジュール５４が、目的の画像受領者からの画像品質嗜好に関する間接的なフィードバックを収集し、電子プロセッサ１６によって実装されるプロファイル更新モジュール５６が、このフィードバックに基づいてパラメータの更新値（又は複数のパラメータの更新値）を決定するとともに、更新された１つ以上のパラメータ値を用いてデータベース５２内のプロファイルを更新する。
【００２７】
フィードバック収集モジュール５４は、証拠となるフィードバックを様々な手法で収集するように構成され得る。直接評価手法においては、画像受領者が画像を明示的に格付けする。１つの実装において、表示／レビューモジュール３６が、画像格付け用のダイアログボックス又はダイアログボックスを提供するプラグイン又はその他の機構を含む。場合により、ダイアログウィンドウ又はボックスはユーザ設定可能にされ得る。一部の実施形態において、この格付けは総合格付けである（例えば、“この画像の品質を０から１００の尺度で格付けしてください。ただし、‘０’は許容できないほど粗悪な画像であり、‘１００’は最高品質の画像であり、範囲［０，１００］に制限される整数の回答を用いてください。”などのクエリ）。他の例では、画像品質の格付けは、例えばコントラスト又は鮮明さ（クリスプネス）などの複数の基準に対してそれぞれとし得る。この手法において、現在の再構成画像に対する格付けフィードバックが、同じ再構成アルゴリズムを用いた、あるいは別の理由で公正に比較可能な、先に再構成された画像に対する同じ画像受領者による以前の格付けと比較され、これら様々な格付けが、それぞれの再構成画像を生成する際に使用された再構成パラメータ値と相関付けられる。現在の再構成画像と様々な先行画像との間での格付けの差が、変化の程度を決定する。この手法はまた、格付けが画像品質のうちの識別可能な観点に関する場合、比較画像なしで用いられることができる。例えば、鮮明さ（クリスプネス）に関する格付けは、シャープさとノイズとの間のトレードオフに関係する再構成パラメータ値（例えば、フィルタ値）と容易に相関付けられ得る。故に、画像受領者が鮮明さ（クリスプネス）に関して画像を低く格付けする場合、シャープさを増大させるようにフィルタが抑制され得る。この手法においては、必要に応じて、トレードオフの関係にある画像観点を評価するために、ノイズ又はアーチファクトに関する別の格付けが行われる。
【００２８】
単一の全体的な画像品質の格付けが画像受領者から要求される場合、これは一般に、どのパラメータ値が更新されるべきかを決定するには十分でない。むしろ、単一の格付けは、異なる再構成パラメータ値を使用したその他の格付け画像と比較する状況において有用である。そのような状況においては、現在の画像が、或る特定のパラメータに関して或る異なる値を用いたものであり、且つ現在の画像が以前の画像より低く格付けされる場合、これは、そのパラメータ値の直近の変化がその画像受領者には好まれないという示唆に富むものである。このような変化を提供するため、一部の実施形態において、選択されたパラメータの値を変化させた１つ以上のテスト再構成画像の自動生成を要求するフィードバックテストセット要求サブモジュール５８を使用することによって、証拠となるフィードバックが提供される。典型的に、パラメータ値の変化は、例えば、そのパラメータ値を１０％だけ増加させた画像と、そのパラメータ値を１０％だけ減少させた画像といったように、或る特定の割合又は事前選択された量Δずつであり。このような再構成画像は、再構成システムの休止サイクル中（典型的に、真夜中）に生成されることができる。そして、目的の画像受領者に、該受領者のプロファイルを用いて生成された画像と、そのプロファイルを用いながらも選択パラメータを変化させて生成された更なる１つ以上の画像と、の双方が提示される。受領者は最良の画像を選択し（すなわち、それに投票し）、そして、この投票は実効的に、選択された画像を生成する際に使用されたそのパラメータの値（これらの詳細は画像受領者にはトランスペアレントである）への投票である。画像受領者に投票することを強いるため、一部の実施形態において、以下に沿って要求が表現され：“どの画像を分析に使用すべきか選択してください”、そして、画像受領者による選択（すなわち、投票）を受けて、残りの画像が画像ワークステーション４０から除去される。最良の画像に投票することに代えて、それらの画像を画像品質（又は、そのうちの一観点）に関してランク付けすることを画像受領者に要求してもよい。そのようなランク付けは、画像受領者にとって、より多くの時間を消費するものとなり得るが、受領者の再構成プロファイルを更新するための更なる情報を提供する。
【００２９】
フィードバック収集モジュール５４がフィードバックを収集し得る他の一手法は、明示的な過去に遡っての再構成を検出することによるものである。ここで、その状況は、目的の画像受領者が画像を受領し、それが許容できないことを見い出し、新たな画像再構成を要求するというものである。典型的に、この要求は、技師又はその監督者に向けられることになり、技師は、受領者の異存の理由を（希望的に）改善された画像再構成パラメータ値へと“落とし込み”、それら改善されたパラメータ値を用いて再構成を繰り返すことになる。フィードバック収集モジュール５４は、繰り返された再構成を検出し、改善されたパラメータ値を特定し、それらの値を用いて画像受領者のプロファイルを更新する。
【００３０】
フィードバック収集モジュール５４がフィードバックを収集し得る他の一手法は、画像受領者によるポスト再構成フィルタリングの使用を監視することによるものである。この手法は、受領者の画像表示／レビューモジュール３６が、画像受領者によって再構成画像に適用されることが可能な画像フィルタリング能力を含んでいることを前提とする。このフィードバック原理は、画像受領者がそのようなフィルタリングを実行しようとするのは、フィルタリングが一層良好な画像を作り出し得ると画像受領者が信じる場合のみであり、フィルタリングされた画像が使用されることになるのは、フィルタリングされた画像が非フィルタリング画像より良いと画像受領者が実際に結論付ける場合のみであるというものである。フィルタリングされた画像が更なる処理（例えば、画像セグメンテーション又は心臓拍出量測定など）のための選択される場合、表示／レビューモジュール３６がこの選択をフィードバック収集モジュール５４に通知する。フィルタパラメータ値もフィードバック収集モジュール５４に伝達される。このようなフィルタリングの例は（以下に限られないが）、画像を画像空間内で一層鮮明あるいは平滑の何れかにし、画像空間内で点広がり関数を適用することを含む。この例でのプロファイル更新は、画像再構成中にフィルタを適用すること（等価なフィルタが再構成モジュール３０にて利用可能な場合）、又は画像受領者によって適用されたフィルタを“再現”するようにその他のパラメータ値を調整することを伴い得る。例えば、画像受領者が画像平滑化フィルタを適用する場合、場合によって解像度の低下又はその他の客観的な画像劣化という犠牲を伴うとしても、画像鮮明度を低下させる（これは滑らかさを増大させる）ように再構成パラメータ値を調整することができる。
【００３１】
プロファイル更新モジュール５６は、画像受領者の再構成プロファイルの１つ以上のパラメータの値を更新する。プロファイル更新モジュール５６は、そのような更新を行う際に、利用可能なフィードバック情報に応じた技術を使用することができる。例えば、フィードバックが一組のテスト画像の投票又はランク付けである場合、更新は、選択された画像又は最高ランクの画像に対応するパラメータ値を選択することそのものとすることができる。同様の直接的な更新は、例えば、異なる（且つ恐らくは更に良い）パラメータを用いて再度の再構成が実行されるとき、又は画像受領者がフィルタリングを実行し、且つフィルタリングされた画像を後続の分析において使用するときなど、“投票”であろうと暗示的であろうと行われ得る。
【００３２】
フィードバックが特定の再構成パラメータと関連付けられていない場合（例えば、収集されたフィードバックが、画像の特定の観点ではなく画像全体を格付けするスカラー的な画像採点である場合）、更新は好ましくは、何れのパラメータが更新されるべきかを決定し、次いで、そのパラメータの更新値を決定することを伴う。例えば、プロファイル更新モジュール５６が幾つかの比較画像に対する画像ランキング値を有する場合（“比較”が、例えば、同じ解剖学的領域のものであり且つ同じ画像再構成アルゴリズムを用いた画像に基づいて評価されているとする）、プロファイル更新モジュール５６は好ましくは、画像間での或るパラメータの変化がランキング値の増加又は低下と相関を有する傾向が存在するかを決定する。そのような相関が特定された場合、その傾向は、そのパラメータのより良い（必ずしも最良ではない）値を推定するために好適に外挿される。必要に応じて、フィードバックテストセット要求サブモジュール５８を呼び出して、外挿範囲内まで広がるそのパラメータの複数の値を用いる幾つかの明確化テスト画像を要求することができ、次の繰り返しでこれらのフィードバックテスト画像を使用して、そのパラメータの最適値が更に広げられ、あるいは更に明確にされる。
【００３３】
これら最後の例は、上記幾つかの比較画像が複数の再構成パラメータ値の殆どで同じ値を使用し、１つのパラメータ値のみを画像間で変化させていると仮定している。この場合、プロファイル更新モジュール５６は、単一の可変パラメータが画像受領者の格付け又はランキング値を支配しているという仮定の下で、好ましく動作することができる。これらの画像が画像間で値が変化するパラメータを２つ以上有する場合、どのパラメータが画像受領者のランキング値を支配しているかが曖昧なことがある。一手法において、これは、フィードバックテストセット要求サブモジュール５８を呼び出して幾つかの明確化テスト画像を要求することによって対処される。他の一手法において、プロファイル更新モジュール５６は、結び付けられたパラメータ間の相関を好適に組み入れたマルチパラメータモデルを用いて複数のパラメータを同時に調整するマシンラーニングを使用したエキスパートシステムを含むことができる。例えば、このモデルは、様々な画像品質観点指標の組み合わせとして当該モデルの下でその値が計算される目的関数として、画像全体のランキングを使用し得る。一手法において、定性的な画像品質観点指標（例えば、鮮明さ、コントラスト、又はその他）の各々が、その画像品質観点に影響すると予期される画像再構成パラメータに依存する目的関数の１つの項として計算される。特定の観点に対して結び付けられる複数のパラメータは、それらパラメータ（場合により個々に重み付けされる）の和として記述されることができる。故に、例えば、目的関数は、Ｆｏｂｊ＝ｗ１ｆｃｏｎｔｒａｓｔ＋ｗ２ｆｃｒｉｓｐｎｅｓｓとし得る。ただし、ｆｃｏｎｔｒａｓｔは、コントラストに関する項であり（コントラストに影響する再構成パラメータの関数を有し）、ｆｃｒｉｓｐｎｅｓｓは、鮮明さに関する項であり（鮮明さに影響する再構成パラメータの関数を有し）、ｗ１及びｗ２は、全体的な画像品質を評価する際に画像受領者がコントラスト及び鮮明さについて置くことが予期される期待相対重みを指し示す重みである。当然ながら、この単純な二項の例は、他の画像品質観点に関する追加又はその他の項を組み込むように容易に拡張される。得られる目的関数Ｆｏｂｊは、好適なマシンラーニング技術を用いて、様々な利用可能な格付け画像に割り付けられた格付けに対して最適化されることができる。
【００３４】
プロファイル更新モジュール５６によって実行されるパラメータ値更新の何れにおいても、必要に応じて、様々な拘束又は制約を用いることができる。例えば、一部の再構成パラメータは、それらのデフォルト設定から変更されることができないように固定されてもよい。これらは、エンドユーザによって調整可能でない製造者管理設定であってもよいし、別のように保護された設定であってもよい（例えば、撮像検査室の管理者によって設定・ロックされる）。典型的に、このようなパラメータは、データベース５２に保管される再構成プロファイルから省かれることになる。調整可能なパラメータを更新するとき、画像受領者からのフィードバックによって導かれる更新が、許容不可能な領域までプロファイルを押し出してしまうことがないことを確保するために、更新に制約が置かれ得る。例えば、フィードバック主導によるプロファイル更新が、事実上の情報損失が生じる領域までプロファイルを押し出すことを許すのは一般に望ましくない。故に、例えば、フィードバック主導更新が、より平滑な画像に向かって連続的に突き進む場合、そのような制約は、医学的に証拠となる特徴が完全に落とし去られそうなほどにぼやけた再構成画像が該更新によって作り出されることを防止するために、制約され得る。更なる制約として、一部の実施形態において、設定モジュール５０は、再構成を実行することに先立つ技師によるレビューのために、再構成パラメータ値セットを表示し、技師は、反対すべきであることを見い出したパラメータ値を無効にすることができる。
【００３５】
画像受領者特有の再構成パラメータ値を使用する開示に係る再構成手法を、図１では、電子プロセッサ１６によって実装されるとして説明している。他の実施形態においては、認識されるように、これら開示の手法は、開示の再構成方法を実行するように電子プロセッサ（例えば、例示の電子プロセッサ１６など）によって実行可能な命令を格納した、非一時的な記憶媒体として具現化されることができる。非一時的な記憶媒体は、例えば、ハードディスクドライブ若しくはその他の磁気記憶媒体、光ディスク若しくはその他の光記憶媒体、ランダムアクセスメモリ（ＲＡＭ）、読み出し専用メモリ（ＲＯＭ）、フラッシュメモリ若しくはその他の電子記憶媒体、又はその他を有し得る。
【００３６】
図１を引き続き参照しながら図２を更に参照して、モジュール３０、５０によって好適に実行される画像再構成の一例を示す。設定モジュール５０が、目的の画像受領者の識別子６０を決定するとともに、再構成すべき撮像データセット６２をストレージ１４から取り出す。処理６４にて、設定モジュール５０が、目的の画像受領者の再構成プロファイルをプロファイルデータベース５２から取り出し、撮像データセット６２の受領者好みの画像再構成を実行するための注文６６を構築する。決定処理７０にて、設定モジュール５０が、フィードバック収集モジュール５４のフィードバックテストセット要求サブモジュール５８によってフィードバックテスト画像セットの要求が作成されているかを決定する。フィードバックテスト画像が要求されている場合、各テスト画像に関する追加の注文７２が作成される。処理７４にて、画像再構成モジュール３０が、注文６６及び与えられた場合の追加の注文７２を実行し、目的の画像受領者のための再構成画像及び（要求された場合の）１つ以上のテスト画像を生成する。そして、これら１つ以上の再構成画像が、目的の画像受領者に、送達モジュール３２によって届けられる（あるいは、一部の代替実施形態において、郵便又はクーリエ便によって手動配達される）。
【００３７】
図１を引き続き参照しながら図３を更に参照して、モジュール５４、５６によって好適に実行されるプロファイル更新の一例を示す。手動処理８０にて、目的の画像受領者が、再構成画像及び提供された場合の１つ以上の追加のテスト画像をレビューする。画像受領者は、１つ以上の利用可能な経路を介してフィードバックを提供する。図３に示した例において、利用可能な経路は、画像受領者が評価フォームを用いて画像を格付けするフィードバック処理８２と、処理８４における、フィードバック収集モジュール５４によって検出される、改定画像の要求又はワークステーション４０での画像フィルタリングの実行、によって暗示的に提供されるフィードバックと、処理８６における、一組の画像（例えば、テスト画像を含む）の画像受領者による投票又はランク付けとを含んでいる。フィードバックに基づき、処理８８での調整のため、１つ以上の再構成パラメータが特定される。決定処理９０にて、特定のパラメータを更新すべきか、又はそれをどのように更新すべきかに曖昧さが検出される場合、処理９２にて、フィードバック収集モジュール５４のフィードバックテストセット要求サブモジュール５８が呼び出されて、明確化のためのテスト画像が要求される。この場合、更新は行われず、その代わりに、要求されたフィードバックテストセットの画像からの結果が受信されるまで、曖昧なパラメータを更新すべきか、又はそれをどのように更新すべきかの決着が保留される。一方、１つ以上のパラメータが、更新の準備が整っているとして曖昧でなく特定される場合には、処理９４にて、それら１つ以上のパラメータの値が更新され、そして、データベース５２が更新される。
【００３８】
複数の画像受領者再構成プロファイル（各々の画像受領者再構成プロファイルが複数の画像再構成パラメータ値を有する）を格納するデータベース５２は、効率的な更新及び検索を可能にするフォーマットを有するべきである。好適な一データベース構成において、データベース５２は、再構成パラメータを含んでおり、場合により複合キーを用いて、画像受領者及び再構成プロトコル（撮像モダリティ、再構成アルゴリズム、及び必要に応じて例えば解剖学的領域やデータ収集パラメータなどのその他の観点を包含する）によって索引付けられる。表示ワークステーション４０で画像受領者によって実行されるポストフィルタリングの結果が後の再構成に適用される場合、再構成に関する情報（医師、プロトコル、再構成パラメータ、及び場合により画像収集パラメータ）とともに画像空間に関する情報がフィードバック収集モジュール５４に送信され、この情報を用いて、再構成において同等の結果を達成するよう、使用される再構成パラメータの値が更新される。
【００３９】
データベース５２に格納される画像受領者再構成プロファイルは、様々な手法で初期化されることができる。一手法において、全てのプロファイルが同じデフォルトセットの再構成プロファイルに初期化され、その後、更新のためのコンポーネント５４、５６の処理が、それらのプロファイルを個々の嗜好に対して徐々に調整するよう作用する。場合により、受領者の嗜好を近似する可能性を高めるようにプロファイルを初期化するために、演繹的知識が用いられてもよい。例えば、特定の製造者からの撮像システムは初期設定により特定のパラメータ値を用いて動作するように設計されている、ということが分かっていることがある。その製造者の撮像システムからの画像を受領することに慣れている医師又は放射線医が、（例えば、新入社員として）施設に新たにやってくる場合、その人物のプロファイルは、それらの撮像システムに適合するパラメータ値を用いて好適に初期化され得る。同様に、放射線設備が新しい撮像システムにアップグレードされる場合、１つの選択肢は、慣れ親しんだ古い撮像システムを密に模倣する値にプロファイルを初期化し、更新用のコンポーネント５４、５６の処理を介して、新しい能力を徐々に取り入れることである。一部の実施形態において、医師プロファイルは、その医師が所有する可搬式記憶装置（例えば、ＦＬＡＳＨサムドライブ、ＳＩＭカード、又はその他の可搬式の不揮発性記憶装置）に格納され、あるいは中央位置でアクセス可能にされる（例えば、製造者によって管理されるサーバコンピュータに格納されて、好適なパスワード保護又はその他のセキュリティを用いて、撮像施設からインターネットを介してアクセス可能にされる医師プロファイルデータベース）。なお、医師プロファイルは、如何なる患者データも含んでおらず、従って、ＨＩＰＡＡ又はその他の患者プライバシー規制に関わるものではない。
【００４０】
好適実施形態を参照して本発明を説明してきた。明らかなように、以上の詳細な説明を読んで理解した者は変更及び改変に想到し得る。本発明は、添付の請求項の範囲又はその均等範囲に入る限りにおいて、そのような全ての変更及び改変を含むとして解釈されるものである。
【図１】
2015510157.tif 000003
【図２】
2015510157.tif 000004
【図３】
2015510157.tif 000005
【手続補正書】
【提出日】平成26年6月17日(2014.6.17)
【手続補正１】
【補正対象書類名】特許請求の範囲
【補正対象項目名】全文
【補正方法】変更
【補正の内容】
【特許請求の範囲】
【請求項１】
複数の画像受領者再構成プロファイルを格納するデータベースであり、各々の画像受領者再構成プロファイルは複数の画像再構成パラメータ値を有する、データベースと、
医用撮像データから、再構成画像を、
目的の画像受領者に関する画像受領者再構成プロファイルを前記データベースから取り出すこと、及び
取り出された画像受領者再構成プロファイルの画像再構成パラメータ値を用いて前記医用撮像データを再構成して、前記再構成画像を生成すること、
を含む処理によって生成するように構成された電子プロセッサと、
を有する装置。
【請求項２】
前記再構成画像を前記目的の画像受領者に送達するように構成された電子プロセッサを有する再構成画像送達モジュール、
を更に有する請求項１に記載の装置。
【請求項３】
前記電子プロセッサは更に、
前記目的の画像受領者から、前記再構成画像についてのフィードバックを収集すること、及び
前記収集されたフィードバックに基づいて、前記目的の画像受領者に関する前記画像受領者再構成プロファイルを更新すること、
を含むプロファイル更新処理を実行するように構成される、請求項１又は２に記載の装置。
【請求項４】
前記収集されたフィードバックは、如何なる特定の再構成パラメータとも関連付けられておらず、前記更新することは、前記収集されたフィードバックに基づいて、或る画像再構成パラメータの更新値を決定することを含む、請求項３に記載の装置。
【請求項５】
前記収集されたフィードバックは、画像全体の格付けを有し、前記更新することは、前記画像全体の格付けに基づいて、或る画像再構成パラメータの更新値を決定することを含む、請求項３又は４に記載の装置。
【請求項６】
前記電子プロセッサは、選択されたパラメータの値を変化させた前記取り出された画像受領者再構成プロファイルの画像再構成パラメータ値を用いて、前記医用撮像データを再構成してテスト再構成画像を生成すること、を含む更なる処理を実行するように構成され、前記収集されたフィードバックは、前記再構成画像と前記テスト再構成画像との間での比較を含み、前記更新することは、前記比較に基づいて、前記選択されたパラメータの値を更新することを含む、請求項３乃至５の何れか一項に記載の装置。
【請求項７】
前記フィードバックを収集することは、前記目的の画像受領者から受信された再度の再構成の要求に応答して、前記医用撮像データの再構成をやり直すことを含み、前記再構成をやり直すことは、前記取り出された画像受領者再構成プロファイル内のパラメータの値とは異なる調整されたパラメータ値を使用し、
前記画像受領者再構成プロファイルを更新することは、前記調整されたパラメータ値を含むように該プロファイルを更新することを含む、
請求項３乃至６の何れか一項に記載の装置。
【請求項８】
前記フィードバックを収集することは、前記目的の画像受領者によって前記再構成画像上で実行された画像フィルタリング処理を検出することを含む、請求項３乃至７の何れか一項に記載の装置。
【請求項９】
各々の画像受領者再構成プロファイルが複数の画像再構成パラメータ値を有する複数の画像受領者再構成プロファイルを格納するデータベースから、目的の画像受領者に関する画像受領者再構成プロファイルを取り出すことと、
取り出された画像受領者再構成プロファイルの画像再構成パラメータ値を用いて医用撮像データを再構成して、再構成画像を生成することと
を有し、
少なくとも前記取り出すこと及び前記再構成を行うことは、電子プロセッサによって実行される、
方法。
【請求項１０】
当該方法は更に、
前記目的の画像受領者から、前記再構成画像についてのフィードバックを収集することと、
前記収集されたフィードバックに基づいて、前記目的の画像受領者に関する前記画像受領者再構成プロファイルを更新することと
を有し、
少なくとも前記更新することは前記電子プロセッサによって実行される、
請求項９に記載の方法。
【請求項１１】
当該方法は更に、
前記取り出された画像受領者再構成プロファイルの選択された再構成パラメータの値を、少なくとも１つのテスト画像を生成するように調整して、前記再構成することを繰り返すこと
を有し、
前記フィードバックを収集することは、前記再構成画像と前記少なくとも１つのテスト画像とを含む一組の画像に対する、前記目的の画像受領者による、最良の画像品質を有することの投票又はランク付けを収集することを含み、
前記調整を行うことは、前記投票又はランク付けに基づいて、前記選択された再構成パラメータを調整することを含む、
請求項１０に記載の方法。
【請求項１２】
前記フィードバックを収集することは、前記目的の画像受領者から受信された再度の再構成の要求に応答して、前記医用撮像データの再構成をやり直すことを含み、前記再構成をやり直すことは、前記取り出された画像受領者再構成プロファイル内のパラメータの値とは異なる調整されたパラメータ値を使用し、
前記画像受領者再構成プロファイルを更新することは、前記調整されたパラメータ値を含むように該プロファイルを更新することを含む、
請求項１０又は１１に記載の方法。
【請求項１３】
前記収集することは、前記目的の画像受領者によって前記再構成画像上で実行された画像フィルタリング処理を検出することを含み、
前記更新することは、前記取り出された画像受領者再構成プロファイルの、選択された画像再構成パラメータの値を更新することを有し、該選択された画像再構成パラメータは、前記検出された画像フィルタリング処理に基づいて選択される、
請求項１０乃至１２の何れか一項に記載の方法。
【請求項１４】
請求項９乃至１３の何れか一項に記載の方法を実行するように電子プロセッサによって実行可能な命令を格納した非一時的な記憶媒体。
【請求項１５】
前記更新することは、マシンラーニングを実行して、再構成パラメータセットを、該再構成パラメータセットのうちの結び付けられたパラメータ間の相関を組み入れたマルチパラメータモデルを用いて調整することを有する、請求項１０又は１３に記載の方法。
【国際調査報告】
2015510157.tif 000006
2015510157.tif 000007
2015510157.tif 000008